(57)【特許請求の範囲】
【請求項１】
ユーザーがスタイラスを用いて、タッチ装置のタッチパネルにおけるデータ表示領域を選択するためにタッチした場合、前記スタイラスが、前記タッチにより選択された前記データ表示領域に対応して前記タッチ装置により読み出された少なくとも一つのデータを無線で受信するステップと、
前記スタイラスが、前記データを記憶するステップと、
前記スタイラスが、前記データに応じて前記スタイラスの少なくとも一つの切換器の機能を変更することによって、前記スタイラスの前記切換器が、無線データ通信チャネルを介して前記タッチ装置のアプリケーションプログラムを制御して前記スタイラスを前記タッチ装置のリモコンとして機能させ、または、前記スタイラスのスピーカ又はマイクロフォンの音量を切り換えるステップと
を含むことを特徴とする無線記憶機能と無線転送機能を有するスタイラスの無線送受信方法。
【請求項２】
前記スタイラスが、前記データを受信した後、前記データを前記スタイラスの記憶ユニットに記憶するか若しくは前記データを前記スタイラスの表示ユニットに表示するステップを更に含むことを特徴とする請求項１に記載の無線記憶機能と無線転送機能を有するスタイラスの無線送受信方法。
【請求項３】
前記タッチ装置のソフトウェアが、前記読み出されたデータに対応して前記スタイラスに記憶されている対応データを、無線データ通信チャネルを介して受信し、前記読み出されたデータと前記対応データとを照合し、前記対応データと前記データとを一致させるように前記データを更新して、更新された前記データをタッチ装置に記憶するステップを更に含むことを特徴とする請求項２に記載の無線記憶機能と無線転送機能を有するスタイラスの無線送受信方法。
【請求項４】
前記スタイラスと前記タッチ装置の間に前記無線データ通信チャネルを確立する必要があるか否かを判定するステップを更に含むことを特徴とする請求項１に記載の無線記憶機能と無線転送機能を有するスタイラスの無線送受信方法。
【請求項５】
前記スタイラスと前記タッチ装置の間に前記無線データ通信チャネルを確立する必要があると判定した場合、前記タッチ装置のソフトウェアが、前記スタイラスと前記タッチ装置の間に前記無線データ通信チャネルを確立するステップを更に含むことを特徴とする請求項４に記載の無線記憶機能と無線転送機能を有するスタイラスの無線送受信方法。
【請求項６】
前記スタイラスが、前記データを受信した後、前記データを前記スタイラスの表示ユニットに表示する必要があるか否かを判定し、
前記データを前記スタイラスの前記表示ユニットに表示する必要があると判定した場合、前記スタイラスが、前記データを前記スタイラスの前記表示ユニットに表示し、
前記データを前記スタイラスの前記表示ユニットに表示する必要がないと判定した場合、前記スタイラスが、前記データを、無線通信機能を有する他の装置へ送信するステップを更に含むことを特徴とする請求項１に記載の無線記憶機能と無線転送機能を有するスタイラスの無線送受信方法。
【請求項７】
前記スタイラスと無線通信機能を有する装置の間に第２の無線データ通信チャネルを確立する必要があるか否かを判定し、
前記スタイラスと無線通信機能を有する前記装置の間に前記第２の無線データ通信チャネルを確立する必要があると判定した場合、前記タッチ装置のソフトウェアが、前記スタイラスと無線通信機能を有する前記装置の間に前記第２の無線データ通信チャネルを確立し、
前記スタイラスと無線通信機能を有する前記装置の間に前記第２の無線データ通信チャネルを確立する必要がないと判定した場合、所定の無線データ通信チャネルを介して前記スタイラスと前記無線通信機能を有する前記装置との間で通信を行うステップを更に含むことを特徴とする請求項１に記載の無線記憶機能と無線転送機能を有するスタイラスの無線送受信方法。
【請求項８】
前記スタイラスが、受信した前記データを第２の無線データ通信チャネルを介して無線通信機能を有する装置へ送信するステップを更に含むことを特徴とする請求項１に記載の無線記憶機能と無線転送機能を有するスタイラスの無線送受信方法。
【請求項９】
前記スタイラスが、前記データを受信した後、設定により、前記無線データ通信チャネルをオフするか若しくは前記無線データ通信チャネルをオフしないステップを更に含むことを特徴とする請求項１又は請求項８に記載の無線記憶機能と無線転送機能を有するスタイラスの無線送受信方法。
【請求項１０】
タッチパネルを有するタッチ装置と、
無線通信モジュール、記憶ユニット及び少なくとも一つの切換器を含むスタイラスと、
を含み、
前記無線通信モジュールは、無線データ通信チャネルを介して前記タッチ装置からのデータを受信し、
前記記憶ユニットは、前記データを記憶し、
ユーザーが前記スタイラスを用いて前記タッチ装置の前記タッチパネルをタッチした場合、前記タッチ装置は、前記無線データ通信チャネルを介して前記データを前記スタイラスへ送信し、
前記スタイラスは、前記データに応じて前記切換器の機能を変更することによって、前記スタイラスの前記切換器が、無線データ通信チャネルを介して前記タッチ装置のアプリケーションプログラムを制御して前記スタイラスを前記タッチ装置のリモコンとして機能させ、または、前記スタイラスのスピーカ又はマイクロフォンの音量を切り換える
ことを特徴とするタッチシステム。
【請求項１１】
前記データを表示する表示ユニットを更に含むことを特徴とする請求項１０に記載のタッチシステム。
【請求項１２】
無線通信機能を有する装置を更に含み、
前記スタイラスは前記タッチ装置と無線通信機能を有する前記装置の間で前記データを無線送受信することを特徴とする請求項１０に記載のタッチシステム。
【請求項１３】
前記タッチ装置にインストールされたソフトウェアを更に含み、
前記ソフトウェアは前記スタイラスのタッチ操作に応じて前記データの送受信を制御することを特徴とする請求項１０に記載のタッチシステム。
【請求項１４】
前記スタイラスの前記切換器は、前記無線データ通信チャネルを介して前記タッチ装置のアプリケーションプログラムを制御することを特徴とする請求項１０に記載のタッチシステム。
【発明の詳細な説明】
【技術分野】
【０００１】
本発明は、マンマシンインタフェースに関し、特に無線記憶機能と無線転送機能を有するスタイラスの無線送受信方法及びそのシステムに関するものである。
【背景技術】
【０００２】
タッチ技術の進歩に伴い、スマートフォンやタッチパッド（touchpad）などのタッチ装置はほとんどタッチ方式で制御するようになっている。従来のキーボードとマウスで制御する操作方式は概ねタッチ方式で制御する操作方式に変更されてきている。タッチ方式で制御する操作方式はスマートでより直感的なマンマシンインタフェースである上に、タッチ装置におけるグラフィカルユーザインタフェース（ＧＵＩ）と組み合わせることによりカーソル機能や文字入力機能を奏することができる。これにより、たとえタッチ装置の操作原理や操作方法に未熟なユーザーでも、操作方法を容易に学ぶことができる。
【０００３】
上述したように、マンマシンインタフェースは、ヒューマニゼーション及び人間の感覚を利用する方向へ発展している。また、ユーザーのニーズに応じて、タッチ方式が人間の指でタッチしたりスタイラスでタッチしたりすることができるように、タッチするものによりタッチ機能を有するタッチパネルのタッチ感度が異なるようにしてもよい。例えば、銀行の自動現金支払機のタッチパネルである場合、人間の指でパネルを直接にタッチして操作できる。一方、タブレットコンピューターやスマートフォンにおける手書き文字識別機能若しくは手書き画像識別機能を使用する場合、ユーザーがスタイラスでより確実な入力を行うことができる。
【発明の概要】
【発明が解決しようとする課題】
【０００４】
本発明は、ユーザーが無線記憶機能と無線転送機能を有するスタイラスを使用して、無線通信機能を有するプラットフォームである複数の情報機器の間でデータのアクセスやデータの転送を行うことができるように、より直感的なマンマシンインタフェースを提供することを課題とする。
【課題を解決するための手段】
【０００５】
本発明は、無線記憶機能と無線転送機能を有するスタイラスの無線送受信方法を提供する。スタイラスの無線送受信方法において、スタイラスによりタッチ装置のタッチパネルにおけるデータ表示領域を選択するためのタッチがされた場合、スタイラスが、前記タッチにより選択されたデータ表示領域に応じて読み出された少なくとも一つのデータを無線で受信するステップと、スタイラスが、前記データを記憶するステップと、を含む。
【０００６】
本発明は、タッチ装置とスタイラスを含むタッチシステムを提供する。タッチ装置はタッチパネルを有する。スタイラスは無線通信モジュールと記憶ユニットを含む。無線通信モジュールは、無線データ通信チャネルを介してタッチ装置からのデータを受信する。記憶ユニットは前記データを記憶する。タッチ装置は、スタイラスによるタッチ操作に応じて、データを無線データ通信チャネルを介してスタイラスへ送信する。
【発明の効果】
【０００７】
上述したように、本発明に係る無線記憶機能と無線転送機能を有するスタイラスの無線送受信方法及びそのシステムによれば、スタイラスはユーザーによるタッチ操作によってタッチ装置からのデータを受信することができる。これにより、ユーザーはスタイラスを使用してタッチ装置を操作する時、より直感的にスタイラスを使用してデータの伝送を行うことができる。
【図面の簡単な説明】
【０００８】
【図１Ａ】本発明の第１の実施例に係るタッチシステムのブロック模式図を示すものである。
【図１Ｂ】本発明の第１の実施例に係るタッチシステムの模式図を示すものである。
【図１Ｃ】本発明の第１の実施例に係る無線記憶機能と無線転送機能を有するスタイラスの無線送受信方法のフローチャートを示すものである。
【図２】本発明の第１の実施例に係る無線記憶機能と無線転送機能を有するスタイラスの無線送受信方法のフローチャートを示すものである。
【図３】本発明の第２の実施例に係る無線記憶機能と無線転送機能を有するスタイラスの無線送受信方法のフローチャートを示すものである。
【図４】本発明の第３の実施例に係る無線記憶機能と無線転送機能を有するスタイラスの無線送受信方法のフローチャートを示すものである。
【図５Ａ】本発明の第４の実施例に係る無線記憶機能と無線転送機能を有するスタイラスの無線送受信方法のフローチャートを示すものである。
【図５Ｂ】本発明の第３の実施例に係るタッチシステムの模式図を示すものである。
【図６】本発明の第５の実施例に係る無線記憶機能と無線転送機能を有するスタイラスの無線送受信方法のフローチャートを示すものである。
【図７】本発明の第６の実施例に係る無線記憶機能と無線転送機能を有するスタイラスの無線送受信方法のフローチャートを示すものである。
【図８】本発明の第７の実施例に係る無線記憶機能と無線転送機能を有するスタイラスの無線送受信方法のフローチャートを示すものである。
【図９】本発明の第８の実施例に係る無線記憶機能と無線転送機能を有するスタイラスの無線送受信方法のフローチャートを示すものである。
【図１０】本発明の第９の実施例に係る無線記憶機能と無線転送機能を有するスタイラスの無線送受信方法のフローチャートを示すものである。
【発明を実施するための形態】
【０００９】
（第１の実施例）
本発明はより直感的なマンマシンインタフェースを提供することによってユーザーが複数の情報機器を使用する時、複数の情報機器の間でより有効で直感的にデータを共用したりメディア情報を操作したりすることができることを容易に理解できるように、本実施例において、先ず無線記憶機能と無線転送機能を有するスタイラスの無線送受信方法及びそのシステムについて簡単に説明する。情報機器は、例えばコンピューター、携帯電話、パーソナル・デジタル・アシスタント（ＰＤＡ）、タブレットコンピューター、ノートパソコン、スマート家電などの無線通信機能を有する装置である。また、本発明によれば、音声通信機能を有するタブレットコンピューターによる音声通信の利便性を向上することができる。
【００１０】
図１Ａと図１Ｂを参照しながら説明する。図１Ａは本発明の第１の実施例に係るタッチシステムのブロック模式図を示すものである。図１Ｂは本発明の第１の実施例に係るタッチシステムの模式図を示すものである。タッチシステム１は、タッチ装置１０と、無線送受信機能を有するスタイラス１１からなる。スタイラス１１は、表示ユニット１１１、切換器１１２、マイクロコントローラーユニット（Micro Control Unit、以下ＭＣＵという）１１３、無線通信モジュール１１４及び記憶ユニット１１５を含む。
【００１１】
タッチ装置１０における処理ユニット１０ｂは、データを表示するようにタッチパネル（即ち、タッチスクリーン）１０ａを制御する。タッチ装置１０は、タッチパネル１０ａに対するユーザーの操作に応じてデータを演算処理することもできる。また、タッチ装置１０は、スタイラス１１と通信するように無線通信モジュール１０ｃを制御することができる。
【００１２】
スタイラス１１における無線通信モジュール１１４は、タッチ装置１０と通信するようにＭＣＵ１１３で制御される。ＭＣＵ１１３は、記憶ユニット１１５に記憶されているデータ若しくは無線通信モジュール１１４が受信したデータを表示するように表示ユニット１１１を制御することができる。記憶ユニット１１５は、無線通信モジュール１１４が受信したデータを記憶するようにＭＣＵ１１３で制御される。ＭＣＵ１１３は切換器１１２で制御される。これにより、ユーザーは切換器１１２を操作することによってＭＣＵ１１３を制御することができる。例えば、ユーザーは切換器１１２を操作することによって表示ユニット１１１に表示されているデータを調整することができる。しかし、本発明はこれに限定されるものではない。
【００１３】
図１Ｂに示すように、タッチシステム１は、タッチ装置１０と、無線送受信機能を有するスタイラス１１と、を含む。タッチ装置１０はタッチパネル１０ａを含む。タッチパネル１０ａにはスタイラス１１とタッチ装置１０の間の無線通信を行うための通信ソフト（図示せず）のユーザーインタフェース（ＵＩ）が表示される。ユーザーインタフェースはユーザーにタッチされるためのものである。通信ソフトは、タッチ装置１０にインストールされたアプリケーションプログラムである。タッチ装置１０は、コンピューター、携帯電話、パーソナル・デジタル・アシスタント（ＰＤＡ）、タブレットコンピューター、ノートパソコンなどのタッチ機能と無線通信機能を有する装置や電子機器であってもよい。
【００１４】
また、図１Ｂに示すように、タッチパネル１０ａにはデータ表示領域１０１〜１０４と機能画像１０５、１０６が表示される。データ表示領域１０１〜１０４には、例えば時間、電話帳、音楽の曲名などの情報が表示される。機能画像１０５、１０６は、ユーザーに無線送受信機能を有するスタイラス１１を介してタッチさせることによって機能画像１０５、１０６に対応するソフトウェア若しくはハードウェアを起動させるためのものである。例えば、図１Ｂに示す機能画像１０５は、タッチ装置１０におけるソフトウェアに、無線送受信機能を有するスタイラス１１からのデータを無線受信させるためのものであり、図１Ｂに示す機能画像１０６は、タッチ装置１０におけるソフトウェアに、データを無線送受信機能を有するスタイラス１１へ無線送信させるためのものである。
【００１５】
また、図１Ｂに示すように、無線送受信機能を有するスタイラス１１は、表示ユニット１１１、切換器１１２、無線通信モジュール（同図では図示せず）及び記憶ユニット（同図では図示せず）を含む。一般的に、スタイラス１１はペンヘッド状を呈するタッチ部を有する。ペンヘッド状を呈するタッチ部の設計方法は、スタイラスが用いられるタッチ装置（容量式、抵抗式又はインダクタンス式タッチ装置）によって異なるが、当業者が推測できるものであるため、ここでは詳しい説明を省略する。
【００１６】
表示ユニット１１１は、無線送受信機能を有するスタイラス１１が無線通信モジュールによって送受信したデータを表示するためのものである。表示ユニット１１１は、例えば液晶ディスプレー、電子ペーパーなどであってもよい。切換器１１２は、電子式のスイッチ若しくは機械式のスイッチであってもよい。例えば、切換器１１２は、押ボタン、ローラー、スライドスイッチ又はその他の電子式のスイッチであってもよい。また、図１Ｂに示す切換器１１２は例示に過ぎず、本発明はこれに限定されるものではない。例えば、切換器１１２は異なるタイプのスイッチを複数備えるようにしてもよい。また、無線送受信機能を有するスタイラス１１は異なる機能の切換器１１２を複数備えるようにしてもよい。
【００１７】
スタイラス１１における無線通信モジュールは、データを無線で送受信するためのものであり、例えばタッチ装置１０からのデータを受信したり、データをタッチ装置１０へ送信したりすることができる。記憶ユニットは、タッチ装置１０からのデータを記憶したり、タッチ装置１０又は無線通信機能を有するその他の装置へ送信するデータを記憶したりするためのものである。
【００１８】
図１Ａ〜図１Ｃを参照しながら説明する。図１Ｃは本発明の第１の実施例に係る無線記憶機能と無線転送機能を有するスタイラスの無線送受信方法のフローチャートを示すものである。ユーザーが無線送受信機能を有するスタイラス１１を使用してデータの記憶やデータの転送を行うという概念が図１Ｃに示すフローチャートに示される。先ず、ステップＳ１１において、ユーザーがスタイラス１１を用いたタッチ入力により、タッチ装置１０に示すデータを押圧又は手書きすることで、タッチ装置１０に表示されたデータが選択される。例えばユーザーは、スタイラス１１によりタッチ装置１０におけるデータ表示領域１０３を押圧する。
【００１９】
ステップＳ１２において、スタイラス１１を用いたタッチ入力により、タッチ装置１０における通信ソフトウェアが起動する。ステップＳ１２における通信ソフトウェアを起動するための動作としては、ユーザーがスタイラス１１によりユーザーインタフェースにより表示される押ボタンを押圧する動作であってもよく、ユーザーがスタイラス１１によりユーザーインタフェースに対して行う手書きのジェスチャー（gesture）動作であってもよい。通信ソフトウェアは、ユーザーインタフェースを表示したり、スタイラス１１とタッチ装置１０の間の通信を制御したりするためのものである。また、ユーザーインタフェースは、例えば図１Ｂに示すデータ表示領域１０１〜１０４と機能画像１０５、１０６であってもよい。
【００２０】
ステップＳ１３において、通信ソフトウェアは、スタイラス１１による起動動作を検知した後、選択されたデータグループに対してデータの読み出しを行う。言い換えれば、通信ソフトウェアはステップＳ１２で起動された後、ステップＳ１１で選択されたデータを読み出す。また、ステップＳ１３の前のステップＳ１１、Ｓ１２の順序を変更することができる。言い換えれば、ユーザーは、スタイラス１１を利用して通信ソフトウェアを起動してから（ステップＳ１２）、データを選択する（ステップＳ１１）ことができる。ステップＳ１１、Ｓ１２によれば、当業者は、通信ソフトウェアの実行プロセスを容易に設計することができ、またタッチ装置１０自体のオペレーティングシステムソフトウェアやプラットフォームを結合することによって通信ソフトウェアにステップＳ１３を実行させることができる。
【００２１】
ステップＳ１４において、通信ソフトウェアは、タッチ装置１０における無線通信モジュール１０ｃによって応答コマンド又はデータを送信する。応答コマンド又はデータは、例えば下記（１）〜（５）を実行するためのものである。（１）スタイラス１１の切換器１１２の機能を更新したりスタイラス１１のファームウェアを更新したりする。（２）スタイラス１１とタッチ装置１０のアドレス帳や電話帳を一致（同期）させる。（３）スタイラス１１に応答コマンド又はデータを無線通信機能を有するその他の装置（例えばスマート家電など）へ転送させる。（４）スタイラス１１（における表示ユニット１１１）にデータを表示させたり、スタイラス１１に表示すべきデータを無線通信機能を有するその他の装置（例えば携帯電話など）へ転送すると共に、無線通信機能を有する当該その他の装置に表示すべきデータを表示させたりする。（５）スタイラス１１にタッチ装置１０からの音声ストリーミング（例えば３Ｇ音声など）を受信させる。なお、応答コマンド又はデータはこれに限定されるものではない。
【００２２】
ステップＳ１５において、スタイラス１１は通信ソフトウェアからの応答コマンド又はデータを受信する。言い換えれば、スタイラス１１における無線通信モジュール１１４は、ステップＳ１４でタッチ装置１０が送信した応答コマンド又はデータを受信する。応答コマンドは、スタイラス１１の切換器１１２の押ボタンを更新するためのコマンド、スタイラス１１のフォームウェアを更新するためのコマンド、スタイラス１１とタッチ装置１０のアドレス帳や電話帳を一致（同期）させるためのコマンド、データを転送するためのコマンド、データを表示するためのコマンド、又は音声通信を切り換えるためのコマンドなどを含んでもよい。
【００２３】
ステップＳ１６において、スタイラス１１は、応答コマンド又はデータ及びスタイラス１１に内蔵される通信路テーブルに基づいて、データを記憶するか、データを無線通信機能を有するその他の装置へ伝送又は転送するかを決める。例えば、スタイラス１１がデータを記憶してある場合、ユーザーはスタイラス１１の切換器１１２を押すことによってスタイラス１１にデータを無線通信機能を有するその他の装置へ転送させる。通信路テーブルは、スタイラス１１が無線通信機能を有するあらゆる装置と無線データ通信チャネルを確立後に生成された、通信する際に必要な情報である。スタイラス１１が無線通信機能を有するその他の装置と再び通信してデータを伝送する場合、スタイラス１１は通信路テーブルのデータに基づいて無線伝送を実行する。通信路テーブルの実施例は当業者が推測できるものであるため、ここでは詳しい説明を省略する。また、以降の実施例はいずれも上述のステップＳ１１〜ステップＳ１６に開示された主な概念から派生する、異なる操作プロセスである。
【００２４】
図１Ａ、図１Ｂ、図２を参照しながら説明する。図１Ａと図１Ｂに示すタッチシステムに基づいて、本実施例に係る無線記憶機能と無線転送機能を有するスタイラスの無線送受信方法を説明する。本発明に係る無線記憶機能と無線転送機能を有するスタイラスの無線送受信方法は下記のステップを含む。ステップＳ２１において、無線送受信機能を有するスタイラス１１（以下、スタイラス１１という）とタッチ装置１０の間に無線データ通信チャネルを確立する。タッチ装置１０とスタイラス１１は同じ無線通信標準規格に則った無線送受信モジュールを使用してもよい。無線送受信モジュールが使用する無線データ通信チャネルは、ブルートゥース（Bluetooth（登録商標）、ワイヤレス・フィディリティー（ＷｉＦｉ）、又はジグビー（Zigbee（登録商標）などの無線通信標準規格が使用するチャネルであってもよい。
【００２５】
ステップＳ２２において、ユーザーが、スタイラス１１を用いてタッチ装置１０のタッチパネル１０ａをタッチすることによって、タッチ装置１０に表示されるデータ表示領域１０３が選択される。ステップＳ２２において、スタイラス１１を用いてタッチパネル１０ａをタッチする方式は、スタイラス１１を用いてタッチパネル１０ａに表示されているデータ表示領域１０３を押圧したり手書きしたりすることであってもよい。
【００２６】
ステップＳ２３において、ユーザーが、スタイラス１１によりタッチ装置１０のタッチパネル１０ａをタッチすることによってタッチ装置１０のソフトウェアが起動する。言い換えれば、ステップＳ２３において、ユーザーがスタイラス１１によりタッチパネル１０ａをタッチする方式は、スタイラス１１でタッチパネル１０ａを押圧する動作であってもよく、スタイラス１１でタッチパネル１０ａに対して行う手書きのジェスチャー（gesture）動作であってもよく、その他のタッチ動作であってもよい。ここで、ソフトウェアは図１ＣのステップＳ１１〜ステップＳ１６における通信ソフトウェア（以下、ソフトウェアという）である。
【００２７】
ステップＳ２４において、ソフトウェアは、選択されたデータ表示領域１０３に対応するデータの読み出しやデータの解釈又は認識を行うことによって、少なくもと一つのデータを取得する。ステップＳ２４の実現方法は、データ表示領域１０３が表示するデータによって異なる。以下、複数の例を挙げてステップＳ２４の実現方法を説明するが、本発明はそれらに限定されるものではない。第１の例として、データ表示領域１０３の表示するものがセンテンス、言葉、ネットワークリンク（ハイパーリンク）又は画像（若しくは影像）である場合、ソフトウェアは、データ表示領域１０３におけるセンテンス、言葉、ネットワークリング又は画像（若しくは映像）を読み出して、読み出されたセンテンス、言葉、ネットワークリンク又は画像（若しくは映像）を少なくとも一つのデータに形成するようにしてもよい。第２の例として、データ表示領域１０３の表示するものがファイル又はフォルダーに関する画像などの解釈又は認識すべきデータを含む場合、ソフトウェアは、ファイル又はフォルダーに関する画像を解釈又は認識して、解釈又は認識したファイル又はフォルダーの内容（ファイル属性を含む可能性もある）を一つのデータとして生成するようにしてもよい。第３の例として、データ表示領域１０３の表示するものがアドレス帳や電話帳である場合、ソフトウェアは、アドレス帳や電話帳から、ユーザがメールを送信しようとする相手のアドレスや、ユーザーが電話を掛けようとする相手の番号を認識する。
【００２８】
ステップＳ２５において、ソフトウェアは、データを無線データ通信チャネルを介してスタイラス１１へ送信する。ステップＳ２５で送信するデータは、ステップＳ２４で例示したファイル、センテンス、言葉、画像、影像又はネットワークリンクなどのものであってもよい。また、ソフトウェアは、タッチ装置１０によって電話を掛けてスタイラス１１にタッチ装置１０からの音声ストリーミング（例えば３Ｇ音声など）を受信させる。また、ユーザーがスタイラス１１を受話器として使用できるようにスタイラス１１に音声ストリーミングを受信させる場合、スタイラス１１は、マイクロフォンなどの音声入力ユニット（即ち集音ユニット）やイヤホンなどの音声出力ユニット（即ちスピーカーユニット）を更に含むようにしてもよい。
【００２９】
ステップＳ２６において、スタイラス１１は、データを受信した後、受信したデータをスタイラス１１における記憶ユニット（図示せず）に記憶したり、若しくは受信したデータをスタイラス１１の表示ユニット１１１に表示したりする。スタイラス１１における記憶ユニットは、レジスタ又は不揮発性メモリ（例えばキャッシュメモリなど）であってもよい。上述したステップＳ２１〜ステップＳ２６によれば、ユーザーは、スタイラス１１を操作することによってタッチ装置１０に表示されているデータを記憶したり、タッチ装置１０に表示されているデータをスタイラス１１の表示ユニット１１１に表示したりするように制御することができる。
【００３０】
（第２の実施例）
図１Ｂと図３を参照しながら説明する。図３は本発明の第２の実施例に係る無線記憶機能と無線転送機能を有するスタイラスの無線送受信方法のフローチャートを示すものである。第２の実施例において、下記のステップを含む。ステップＳ３１において、ユーザーが、無線送受信機能を有するスタイラス１１（以下、スタイラス１１という）を用いてタッチ装置１０のタッチパネル１０ａをタッチすることによって、タッチ装置１０に表示されているデータ表示領域１０３が選択される。ステップＳ３２において、ユーザーが、スタイラス１１を用いてタッチ装置１０のタッチパネル１０ａをタッチすることによってタッチ装置１０のソフトウェアが起動する。ステップＳ３３において、ソフトウェアは、選択されたデータ表示領域１０３に対応するデータの読み出しやデータの解釈又は認識を行うことによって少なくとも一つのデータを取得する。ここで、データは、スタイラス１１の切換器１１２の押ボタン機能テーブルであってもよく、第１の実施例のステップＳ２４で説明したデータであってもよい。
【００３１】
ステップＳ３４において、スタイラス１１とタッチ装置１０の間に無線データ通信チャネルを確立する必要があるか否かを判定する。ここで、無線データ通信チャネルは第１の実施例のステップＳ１１で説明した無線データ通信チャネルであるため、その説明を省略する。ユーザーが前回（ステップＳ３１をスタートする前に）スタイラス１１でタッチ装置１０を操作した際に無線データ通信チャネルが既に確立されている場合、新たな無線データ通信チャネルを確立する必要がないため、使用する通信チャネルの数を低減できると共に、通信プロセスを簡潔化することができる。言い換えれば、スタイラス１１とタッチ装置１０の間の通信は、前回確立された無線データ通信チャネル（又はデフォルト無線データ通信チャネル）を使用することができる。
【００３２】
また、ステップＳ３４において、データを送信する主体はタッチ装置１０であるため、タッチ装置１０のソフトウェアにより無線データ通信チャネルを確立する必要があるか否かを判定するのは効率的である。例えば、タッチ装置１０のソフトウェアがタッチ装置１０とスタイラス１１の間に無線データ通信チャネルを確立できていないと判定した場合、ソフトウェアは、タッチパネル１０ａに無線データ通信チャネルを確立するための提示画像を表示する。ユーザーは、スタイラス１１の切換器１１２を切り換えることによってスタイラス１１とタッチ装置１０の間に無線データ通信チャネルを確立することができる。また、本発明はこれに限定されるものではなく、無線データ通信チャネルを確立する必要があるか否かを判定する主体はスタイラス１１であってもよい。例えば、ステップＳ３３が完了した後、ユーザーがスタイラス１１の切換器１１２を切り換えることによってスタイラス１１にタッチ装置１０と無線データ通信チャネルを主体的に確立できるようにしてもよい。また、この実施方式は当業者が推測できるものであるため、その説明を省略する。ステップＳ３４が完了した後、スタイラス１１とタッチ装置１０の間に無線データ通信チャネルを確立する必要がある場合、ステップＳ３５へ移行する。一方、必要がない場合、ステップＳ３６へ移行する。
【００３３】
ステップＳ３５において、ソフトウェアは、スタイラス１１とタッチ装置１０の間に無線データ通信チャネル確立する。ステップＳ３６において、ソフトウェアは、データを無線データ通信チャネルを介してスタイラス１１へ送信する。
【００３４】
ステップＳ３７において、スタイラス１１がデータを受信した後、無線データ通信チャネルをオフしてもよく、無線データ通信チャネルをオフしなくてもよい。無線データ通信チャネルをオフするか否かについて、ユーザーに設定させてもよく、データを送信するタッチ装置のソフトウェアにより設定してもよい。無線データ通信チャネルをオフする場合、無線データ通信チャネルが占用する無線帯域幅を節約したり、無線データ通信チャネルをオンする期間に必要な電力を節約したりすることができる。ステップＳ３７によれば、スタイラス１１とタッチ装置１０の間の無線リンクの自由度を向上できる。
【００３５】
ステップＳ３８において、スタイラス１１は、データを受信した後、受信したデータをスタイラス１１における記憶ユニット（図１Ｂには図示せず）に記憶してもよく、受信したデータをスタイラス１１の表示ユニット１１１に表示してもよく、受信したデータに応じてスタイラス１１の少なくとも一つの切換器１１２の機能を変更してもよい。ステップＳ３８と第１の実施例のステップＳ１６との相違点は、ステップＳ３８において、スタイラス１１の切換器が有する機能を変更できることにある。言い換えれば、スタイラス１１が受信したデータに応じて、スタイラス１１は切換器１１２の機能を切り換えることによってスタイラス１１の操作モードを変更することができる。また、データがスタイラス１１の切換器１１２の押ボタン機能テーブルである場合、スタイラス１１は、内蔵される押ボタン機能テーブル（即ち、記憶ユニット（図１Ｂには図示せず）に記憶される押ボタン機能テーブル）を更新することによって切換器１１２の機能を変更することができる。例えば、切換器１１２が有する押ボタンＡは元々、それが１秒間で押され続けたら、スタイラス１１からマウス左ボタンに対応する機能をタッチ装置１０（タッチ装置１０は例えばタッチ機能を有するコンピューターなどであってもよい）へ送信するという機能を有するが、ボタン機能テーブルが更新されたことによって、切換器１１２が有する押ボタンＡの機能は、それが押されたら、スタイラス１１からコマンドをタッチ装置１０へ送信することでアプリケーションプログラム（例えばメディアプレーヤなど）を起動させるという機能に変更される。
【００３６】
切換器１１２のタイプは、第１の実施例の説明と同様である。切換器１１２が有する機能は、例えば、表示ユニット１１１が表示するものを切り換えたり、スタイラス１１とタッチ装置１０の間に確立された無線データ通信チャネルを切り換えたりするということである。また、スタイラス１１がスピーカ（図示せず）又はマイクロフォン（図示せず）を有する場合、切換器１１２はスピーカ又はマイクロフォンの音量を切り換えるようにしてもよい。
【００３７】
また、スタイラス１１の切換器１１２は、無線データ通信チャネルを介してタッチ装置１０のアプリケーションプログラムを制御することによって、スタイラス１１をタッチ装置１０のリモコンとして使用するようにしてもよい。要するに、本発明は切換器１１２が有する機能を特に限定しない。
【００３８】
（第３の実施例）
図１Ｂと図４を参照しながら説明する。図４は本発明の第３の実施例に係る無線記憶機能と無線転送機能を有するスタイラスの無線送受信方法のフローチャートを示すものである。ステップＳ４１において、無線送受信機能を有するスタイラス１１（以下、スタイラス１１という）とタッチ装置１０の間に無線データ通信チャネルを確立する。ステップＳ４２において、ユーザーが、スタイラス１１を用いてタッチ装置１０のタッチパネルをタッチすることによって、タッチ装置１０に表示されているデータ表示領域が選択される。ステップＳ４３において、ユーザーが、スタイラス１１を用いてタッチ装置１０のタッチパネルをタッチすることによって、タッチ装置１０のソフトウェアが起動する。ステップＳ４４において、ソフトウェアは、選択されたデータ表示領域に対応するデータの読み出しやデータの解釈又は認識を行うことによって、少なくとも一つのデータを取得する。データは、スタイラス１１のファームウェアであってもよく、スタイラス１１又はタッチ装置１０のアドレス帳又は電話帳であってもよく、第１の実施例のステップＳ２４で説明したデータであってもよい。
【００３９】
ステップＳ４５において、ソフトウェアは、無線データ通信チャネルを介して、上記取得したデータに対応してスタイラス１１に記憶されている一つの対応データを受信し、上記取得したデータと当該対応データとを照合すると共に、両者を一致（同期）させるように当該データを更新して、更新されたデータをタッチ装置１０に記憶する。言い換えれば、データがスタイラス１１のファームウェアである場合、スタイラス１１のファームウェアが上述したステップにより更新される。また、データがアドレス帳又は電話帳である場合、スタイラス１１とタッチ装置１０のネットワーク情報が一致するように更新されるようにしてもよい。ネットワーク情報は、電話番号、メールアドレス、それらの対応するユーザー名などのデータを含むようにしてもよい。
【００４０】
ステップＳ４６において、スタイラス１１がデータを受信した後、受信したデータをスタイラス１１における記憶ユニット（図示せず）に記憶したり、若しくはスタイラス１１の表示ユニット１１１にデータを表示したりする。また、ステップＳ４６は第１の実施例のステップＳ２６と同じようにしてもよいため、その説明を省略する。上述したステップＳ４１〜ステップＳ４６によれば、スタイラス１１が記憶するデータはタッチ装置１０が記憶するデータと一致することになるため、スタイラス１１は最新のデータ（例えば、新たなファームウェア、アドレス帳、電話帳など）を記憶することができる。
【００４１】
（第４の実施例）
図５Ａと図５Ｂを参照しながら説明する。図５Ａは本発明の第４の実施例に係る無線記憶機能と無線転送機能を有するスタイラスの無線送受信方法のフローチャートを示すものである。図５Ｂは本発明の第３の実施例に係るタッチシステムの模式図を示すものである。図５Ａに示すスタイラスの無線送受信方法を説明する前に、本実施例に係るタッチシステムを説明する。図５Ｂに示すように、タッチシステム５は、タッチ装置５１と、無線送受信機能を有するスタイラス１１と、無線通信装置５２〜５４と、を含む。無線通信装置５２〜５４は、例えば携帯電話、コンピューター、スマートテレビなどのものであってもよい。タッチ装置５１と無線通信装置５２〜５４のいれずもが無線送受信機能を有する。タッチ装置５１の説明は第１の実施例のタッチ装置１０の説明を参照してもよいため、その説明を省略する。
【００４２】
図５Ａと図５Ｂを参照しながら説明する。図５Ａに示すスタイラス１１の無線送受信方法は下記のステップを含む。ステップＳ５１において、無線送受信機能を有するスタイラス１１（以下、スタイラス１１という）とタッチ装置５１の間に第１の無線データ通信チャネルを確立すると共に、スタイラス１１と無線通信装置５２〜５４のうちのいずれか一つとの間に第２の無線データ通信チャネルを確立する。
【００４３】
ステップＳ５２において、無線通信装置５２〜５４は、データを第２の無線データ通信チャネルを介してスタイラス１１へ送信する。ステップＳ５２は第１の実施例のステップＳ２２〜ステップＳ２５であってもよい。
【００４４】
ステップＳ５３において、スタイラス１１は、スタイラス１１の表示ユニット（図示せず）にデータを表示する必要があるか否かを判定する。スタイラス１１がスタイラス１１の表示ユニットにデータを表示する必要があるか否かについての判定は、ユーザーによるデフォルト設定、ユーザーによるリアルタイムの切り換え、又は当該データがスタイラス１１とタッチ装置１０のいずれに表示されるように設定されているかに基づくものである。例えば、スタイラス１１がデータを受信した場合、ユーザーは、スタイラス１１の切換器１１２のある押ボタンを操作するだけで、スタイラス１１の表示ユニットに当該データを表示することができる。また、ユーザーは、スタイラス１１の表示ユニットに当該データを表示しないようにスタイラス１１の切換器１１２の他の押ボタンを押すことができる。また、データがスタイラス１１とタッチ装置５１のいずれかに表示されることが指定されていた場合、スタイラス１１は、データの内容を表示したり、若しくはデータをタッチ装置５１へ送信してタッチ装置５１にデータを表示する。データをスタイラス１１の表示ユニットに表示する場合、ステップＳ５４へ移行する。データをスタイラス１１の表示ユニットに表示しない場合、ステップＳ５５へ移行する。
【００４５】
ステップＳ５４において、スタイラス１１は、データをスタイラス１１の表示ユニットに表示する。ステップＳ５５において、スタイラス１１は、データをタッチ装置５１へ送信する。ステップＳ５６において、タッチ装置５１は、データを受信した後、受信したデータをタッチ装置５１のタッチパネルに表示する。
【００４６】
上述したステップＳ５１〜ステップＳ５６から分かるように、本実施例において、スタイラス１１は、無線通信装置５２〜５４の少なくとも一つのデータをタッチ装置５１へ送信したり、若しくはスタイラス１１の表示ユニットに表示したりする。言い換えれば、本実施例において、無線通信装置５２〜５４のデータをスタイラス１１によってタッチ装置５１へ転送することで、データ転送の機能を実現することができる。例えば、スタイラス１１がデータを受信した場合、ユーザーは、スタイラス１１の切換器１１２を操作するだけで（例えば、切換器１１２の押ボタンを押すだけで）、データ転送を行うことができる。ユーザーがスタイラス１１によってタッチ装置１０を操作する場合、ユーザーは、各無線通信装置５２〜５４を一つずつ操作することなく、スタイラス１１によって異なる無線通信装置５２〜５４とタッチ装置１０との間でデータ送受信を同時に行うことができる。
【００４７】
また、スタイラス１１が一つ以上の通信モジュールを有する場合、例えば、スタイラス１１がワイヤレス・フィディリティー（ＷｉＦｉ）モジュールとブルートゥース（登録商標）モジュールを有する場合、スタイラス１１は、ブルートゥース（登録商標）のチャネルからのデータをワイヤレス・フィディリティー（ＷｉＦｉ）のチャネルを介して転送したり、ワイヤレス・フィディリティー（ＷｉＦｉ）のチャネルからのデータをブルートゥース（登録商標）のチャネルを介して転送したりすることができる。
【００４８】
（第５の実施例）
図５Ｂと図６を参照しながら説明する。図６は本発明の第５の実施例に係る無線記憶機能と無線転送機能を有するスタイラスの無線送受信方法のフローチャートを示すものである。第５の実施例において、下記のステップを含む。ステップＳ６１において、無線送受信機能を有するスタイラス１１と無線通信装置５２〜５４の間には第２の無線データ通信チャネルが確立される。ステップＳ６２において、無線通信装置５２〜５４は、データを第２の無線データ通信チャネルを介してスタイラス１１へ送信する。ステップＳ６３において、スタイラス１１は、データをスタイラス１１の表示ユニットに表示する必要があるか否かを判定する。データをスタイラス１１の表示ユニットに表示すると判定した場合、ステップＳ６４へ移行し、データをスタイラス１１の表示ユニットに表示しないと判定した場合、ステップＳ６５へ移行する。ステップＳ６４において、スタイラス１１はデータをスタイラス１１の表示ユニットに表示する。本実施例のステップＳ６１〜ステップＳ６４は第４の実施例のステップＳ５１〜ステップＳ５４と同じであるため、その説明を省略する。
【００４９】
ステップＳ６５において、スタイラス１１とタッチ装置５１の間に第１の無線データ通信チャネルを確立する必要があるか否かを判定する。また、ステップＳ６５において、データを送信する主体はスタイラス１１であるため、スタイラス１１により第１の無線データ通信チャネルを確立する必要があるか否かを判定するのは効率的である。但し、本発明はこれに限定されるものではなく、第１の無線データ通信チャネルを確立する必要があるか否かを判定する主体はタッチ装置５１であってもよい。また、ステップＳ６５の説明は第２の実施例のステップＳ３４の説明を参照してもよいため、その説明を省略する。スタイラス１１とタッチ装置５１の間に第１の無線データ通信チャネルを確立する必要があると判定した場合、ステップＳ６６へ移行する。一方、スタイラス１１とタッチ装置５１の間に第１の無線データ通信チャネルを確立する必要がないと判定した場合、ステップＳ６７へ移行する。
【００５０】
ステップＳ６６において、ソフトウェアは、スタイラス１１とタッチ装置５１の間に第１の無線データ通信チャネルを確立する。ステップＳ６７において、スタイラス１１は、データをタッチ装置５１へ送信する。上述したステップＳ６１〜ステップＳ６７によれば、スタイラス１１はデータ転送の機能を実現することができる。
【００５１】
ステップＳ６８において、スタイラス１１がデータを送信した後、第１の無線データ通信チャネルをオフしてもしなくてもよい。ステップＳ６８の説明は第２の実施例のステップＳ３７の説明を参照してもよい。ステップＳ６９において、タッチ装置５１がデータを受信した後、受信したデータをタッチ装置５１のタッチパネルに表示する。ステップＳ６９が完了した後、タッチ装置５１のタッチパネルには無線通信装置５２〜５４の少なくとも一つのデータが表示される。
【００５２】
（第６の実施例）
図５Ｂと図７を参照しながら説明する。図７は本発明の第６の実施例に係る無線記憶機能と無線転送機能を有するスタイラスの無線送受信方法のフローチャートを示すものである。第６の実施例において、下記のステップを含む。ステップＳ７１において、無線送受信機能を有するスタイラス１１（以下、スタイラス１１という）とタッチ装置５１に第１の無線データ通信チャネルを確立すると共に、スタイラス１１と無線通信装置５２〜５４の間に第２の無線データ通信チャネルを確立する。ステップＳ７１の説明は第４の実施例のステップＳ５１の説明を参照してもよい。
【００５３】
ステップＳ７２において、ユーザーが、スタイラス１１を用いてタッチ装置５１のタッチパネルをタッチすることによって、タッチ装置５１に表示されているデータ表示領域が選択される。ステップＳ７３において、ユーザーが、スタイラス１１を用いてタッチ装置５１のタッチパネルをタッチすることによって、タッチ装置５１のソフトウェアが起動する。ステップＳ７４において、ソフトウェアは、選択されたデータ表示領域に対応するデータの読み出しやデータの解釈又は認識を行うことによって、少なくとも一つのデータを取得する。ステップＳ７５において、ソフトウェアは、データを無線データ通信チャネルを介してスタイラス１１へ送信する。上述したステップＳ７２〜ステップＳ７５の説明は第１の実施例のステップＳ２２〜ステップＳ２５の説明を参照してもよい。
【００５４】
ステップＳ７６において、スタイラス１１は、データを無線通信装置５２〜５４へ送信する。ステップＳ７６は第４の実施例のステップＳ５５と類似するが、その相違点として、タッチ装置５１を無線通信装置５２〜５４に変更することにある。言い換えれば、ユーザーはタッチ装置５１とその他の無線通信装置をネットワーク接続する必要がない。
【００５５】
（第７の実施例）
図１Ｂと図８を参照しながら説明する。図８は本発明の第７の実施例に係る無線記憶機能と無線転送機能を有するスタイラスの無線送受信方法のフローチャートを示すものである。本実施例と第６の実施例の相違点は、本実施例においてスタイラスと無線データ通信チャネルを確立するタッチ装置が複数であることにある。
【００５６】
本実施例において、下記のステップを含む。ステップＳ８１において、無線送受信機能を有するスタイラス１１（以下、スタイラス１１という）とタッチ装置１０の間に無線データ通信チャネルを確立すると共に、無線送受信機能を有するスタイラス１１と複数のタッチ装置（例えば無線通信装置５２〜５４など）の間に複数の無線データ通信チャネルを確立する。例えば、ミーティングにおいて、ユーザーは、スタイラス１１とユーザーが使用するタッチ装置の間に無線データ通信チャネルを確立したり、スタイラス１１と他の出席者が使用する無線通信装置の間に無線データ通信チャネルを確立したりすることができる。
【００５７】
ステップＳ８２において、ユーザーが、スタイラス１１を用いてタッチ装置１０のタッチパネルをタッチすることによって、タッチ装置１０に表示されているデータ表示領域が選択される。ステップＳ８３において、ユーザーが、スタイラス１１を用いてタッチ装置１０のタッチパネルをタッチすることによって、タッチ装置のソフトウェアが起動する。ステップＳ８４において、ソフトウェアは、選択されたデータ表示領域に対応するデータの読み出しやデータの解釈又は認識を行うことによって、少なくとも一つのデータを取得する。ステップＳ８５において、ソフトウェアは、データを無線データ通信チャネルを介してスタイラス１１へ送信する。上述したステップＳ８２〜ステップＳ８５の説明は第１の実施例のステップＳ２２〜ステップＳ２５の説明を参照してもよいため、その説明を省略する。
【００５８】
ステップＳ８６において、スタイラス１１は、データを複数の無線データ通信チャネルを介して複数のタッチ装置へ送信する。本実施例のステップＳ８６と第６の実施例のステップＳ７６の相違点は、スタイラス１１がデータを複数の無線通信装置へ同時に転送することにある。例えば、ミーティングにおいて、ユーザーは、上述のようにスタイラス１１を操作して、ユーザーが使用するタッチ装置１０のデータを各出席者が使用する無線通信装置へ同時に転送することができる。
【００５９】
（第８の実施例）
図５Ｂと図９を参照しながら説明する。図９は本発明の第８の実施例に係る無線記憶機能と無線転送機能を有するスタイラスの無線送受信方法のフローチャートを示すものである。第８の実施例において、下記のステップを含む。ステップＳ９１において、無線送受信機能を有するスタイラス１１（以下、スタイラス１１という）とタッチ装置５１の間に無線データ通信チャネルを確立する。ステップＳ９２において、ユーザーが、スタイラス１１を用いてタッチ装置５１のタッチパネルをタッチすることによって、タッチ装置５１に表示されているデータ表示領域が選択される。ステップＳ９３において、ユーザーが、スタイラス１１を用いてタッチ装置５１のタッチパネルをタッチすることによって、タッチ装置１０のソフトウェアが起動する。ステップＳ９４において、ソフトウェアは、選択されたデータ表示領域に対応するデータの読み出しやデータの解釈又は認識を行うことによって、少なくとも一つのデータを取得する。ステップＳ９５において、ソフトウェアは、データを無線データ通信チャネルを介してスタイラス１１へ送信する。上述したステップＳ９１〜ステップＳ９５は第６の実施例のステップＳ７１〜ステップＳ７５と概ね同じであり、その相違点として、ステップＳ９１において、スタイラス１１とタッチ装置５１の間に無線データ通信チャネルを確立する一方、無線通信装置５２〜５４のうちの一つがスタイラス１１と対応する無線データ通信チャネルをまだ確立していないことのみにある。
【００６０】
ステップＳ９６において、スタイラス１１と無線通信装置５２〜５４の間に第２の無線データ通信チャネルを確立する必要があるか否かを判定する。また、ステップＳ９６において、データを送信する主体はスタイラス１１であるため、スタイラス１１により第２の無線データ通信チャネルを確立する必要があるか否かを判定するのは効率的である。但し、本発明はこれに限定されるものではなく、第２の無線データ通信チャネルを確立する必要があるか否かを判定する主体は無線通信装置５２〜５４であってもよい。スタイラス１１と無線通信装置５２〜５４の間に第２の無線データ通信チャネルを確立する必要があると判定した場合、ステップＳ９７へ移行する。一方、スタイラス１１と無線通信装置５２〜５４の間に第２の無線データ通信チャネルを確立する必要がないと判定した場合、ステップＳ９８へ移行する。
【００６１】
ステップＳ９７において、スタイラス１１と無線通信装置（例えば、無線通信装置５２〜５４のうちの一つの無線通信装置など）の間に第２の無線データ通信チャネルを確立する。ステップＳ９８において、スタイラス１１はデータを無線通信装置へ送信する。上述したステップＳ９６〜ステップＳ９８は第５の実施例のステップＳ６５〜ステップＳ６７と概ね同じであり、その相違点として、タッチ装置５１を無線通信装置５２〜５４に変更することのみにある。
【００６２】
ステップＳ９９において、スタイラス１１がデータを送信した後、無線データ通信チャネルをオフしてもしなくてもよい。ステップＳ９９においてオフされた（又はオフされていない）無線データ通信チャネルは、第１の無線データ通信チャネルであってもよく、第２の無線データ通信チャネルであってもよく、第１の無線データ通信チャネルと第２の無線データ通信チャネルの双方であってもよい。ユーザーによるタッチ装置５１に対する設定によって、ソフトウェアは、その設定に応じて無線データ通信チャネルをオフすることができる。例えば、ユーザーが無線データ通信チャネルをよく繰り返して使用する場合、無線データ通信チャネルをオフしないようにソフトウェアを設定するようにしてもよい。一方、ユーザーがスタイラス１１と一つ以上の無線通信装置の間でネットワーク接続するのに使用される無線データ通信チャネルの数を低減しようとする場合、データを送信するごとに、対応する無線データ通信チャネルをオフするようにソフトウェアを設定するようにしてもよい。
【００６３】
（第９の実施例）
図１０は本発明の第９の実施例に係る無線記憶機能と無線転送機能を有するスタイラスの無線送受信方法のフローチャートを示すものである。ユーザーがスタイラスとタッチ装置によってスマート家電（例えばスマートテレビなど）を操作しようとする場合、図１０に示すように、本実施例に係るスタイラスの無線送受信方法は、ユーザーがスタイラスとタッチ装置をスマート家電のリモコンとして使用する機能を有する、一般的に、スマート家電は、無線通信機能を有すると共に、スマート家電をより簡単に操作できるようにタッチ機能を有する。また、本実施例において、タッチ機能を有するテレビを例示して説明するが、本実施例のステップＳ１０１〜ステップＳ１０３はこれに限定されるものではない。ステップＳ１０１〜ステップＳ１０３は、例えば、ビデオ、洗濯機、エアコンなどの他のスマート家電に適用できる。
【００６４】
ステップＳ１０１において、タッチ機能を有するテレビが、操作テーブルコマンドと操作規約をスタイラスに送信する。ユーザーは、スタイラスによってタッチ機能を有するテレビをタッチして操作テーブルコマンドと操作規約をダウンロードしたり、若しくはタッチ機能を直接に操作して操作テーブルコマンドと操作規約をスタイラスに送信したりすることができる。
【００６５】
ステップＳ１０２において、スタイラスが、操作テーブルコマンドと操作規約をタッチ装置へ送信する。ユーザーは、各実施例で説明したデータを送信する方式によって、スタイラスに記憶される操作テーブルコマンドと操作規約をタッチ装置へ送信することができる。
【００６６】
ステップＳ１０３において、ユーザーが、スタイラスを用いてタッチ装置のソフトウェアを操作して、ソフトウェアのユーザーインタフェースに操作テーブルコマンドと操作規約を表示させ、タッチ装置が操作テーブルコマンドによりユーザーが選択したコマンドをタッチ機能を有するテレビへ送信することで、ユーザはタッチ機能を有するテレビを操作する。言い換えれば、ステップＳ１０３において、ユーザーは、スタイラスとタッチ装置によってタッチ機能を有するテレビ又は他のスマート家電を操作することができる。
【００６７】
（実施例の効果）
本発明の各実施例に係る無線記憶機能と無線転送機能を有するスタイラスの無線送受信方法及びそのシステムによれば、スタイラスは、ユーザーによるタッチ操作によってタッチ装置のデータを受信したり、スタイラスの切換器の機能を変更したりすることができる。ユーザーがタッチ装置のデータを他のタッチ装置へ転送する時、スタイラスを、データを転送する中継装置として使用できるだけではなく、タッチ装置同士の間を接続手段で接続する必要もなくなる。これにより、ユーザーは、スタイラスによる手書きのジェスチャー動作などのタッチ操作及びスタイラスの切換器によって、データを無線で送受信したり、データを無線で転送したり、データを複数のタッチ装置へ同時に転送したりするなどの効果を奏することができる。無線送受信機能を有するスタイラスは、タッチ装置にインストールされたソフトウェアによって、そのタッチ操作と無線データ送受信の動作を調整することができるため、ユーザーが通常のようにタッチ操作を行うことで容易にデータを無線で送受信したり転送したりすることができる。また、スタイラスとタッチ装置はスマート家電のリモコンとして使用できる。
【００６８】
上述したものは本発明の好ましい例示に過ぎず、本発明の特許請求の範囲を限定するものではない。
【符号の説明】
【００６９】
１、５  タッチシステム
１０、５１、５２  タッチ装置
１１  無線送受信機能を有するスタイラス
１０ａ  タッチパネル
１０ｂ  処理ユニット
１０ｃ  無線通信モジュール
１０１〜１０４  データ表示領域
１０５、１０６  機能画像
１１１  表示ユニット
１１２  切換器
１１３  マイクロコントローラーユニット（ＭＣＵ）
１１４  無線通信モジュール
１１５  記憶ユニット
【図１Ａ】
0005631902.tif 000002
【図１Ｂ】
0005631902.tif 000003
【図１Ｃ】
0005631902.tif 000004
【図２】
0005631902.tif 000005
【図３】
0005631902.tif 000006
【図４】
0005631902.tif 000007
【図５Ａ】
0005631902.tif 000008
【図５Ｂ】
0005631902.tif 000009
【図６】
0005631902.tif 000010
【図７】
0005631902.tif 000011
【図８】
0005631902.tif 000012
【図９】
0005631902.tif 000013
【図１０】
0005631902.tif 000014